(57)【特許請求の範囲】
【請求項１】
コントローラとトランシーバとを備え、
前記コントローラは、
ＭＩＢ（Master Information Block）を含む情報ブロックのサブセットを使用して、通信装置によって送信される最小システム情報の前記トランシーバによる受信を制御し、
他の情報ブロックを使用して、他のシステム情報の前記トランシーバによる受信を制御し、前記他のシステム情報は、
少なくとも１つの他のＳＩＢ（System Information Block）が周期的にブロードキャストされる周期的送信モードと、
少なくとも１つのユーザ機器からのシステム情報の要求の後、少なくとも１つのオンデマンドＳＩＢが送信されるオンデマンド送信モードと、
のうちの１つを使用してブロードキャストされ、
前記最小システム情報は、他のＳＩＢがオンデマンドでのみ提供されるかどうかを、前記ＭＩＢ以外の情報ブロックにおいて示し、他のＳＩＢがオンデマンドでのみ提供される場合において、前記最小システム情報は前記ユーザ機器がシステム情報要求を実行するために必要な情報を、前記ＭＩＢ以外の前記情報ブロックに含み、
前記オンデマンド送信モードが使用されるために、どのシステム情報が必要であるかを識別し、
ＲＡＣＨ手順を開始することによって、前記必要なシステム情報を取得するための要求を送信するように構成される、
通信システム用のユーザ機器。
【請求項２】
前記コントローラは、前記必要なシステム情報に対する要求を繰り返す前に、待機する間隔を決定するように構成される、
請求項１に記載のユーザ機器。
【請求項３】
前記コントローラは、オンデマンドでシステム情報を送信するための送信機会の周期性を識別する情報を受信するように前記トランシーバを制御するように構成され、
前記間隔は前記周期性に依存する、
請求項２に記載のユーザ機器。
【請求項４】
前記コントローラは、要求が送信されたシステム情報を復号する試みが行われるために連続して送信する機会の量を識別するように構成される、
請求項３に記載のユーザ機器。
【請求項５】
前記コントローラは、前記システム情報の所与の部分を要求するためにリソースが割り当てられているかどうかに基づいて、暗黙的に前記システム情報の前記所与の部分について前記オンデマンド送信モードの使用がスイッチオンされるかどうかを決定するように構成される、
請求項１から４のいずれか１つに記載のユーザ機器。
【請求項６】
コントローラとトランシーバとを備え、
前記コントローラは、
通信装置によって、ＭＩＢ（Master Information Block）を含む情報ブロックのサブセットを使用して、最小システム情報の前記トランシーバによる送信を制御し、
他の情報ブロックを使用して、他のシステム情報の前記トランシーバによる送信を制御し、前記他のシステム情報は、
少なくとも１つの他のＳＩＢ（System Information Block）が周期的にブロードキャストされる周期的送信モードと、
少なくとも１つのユーザ機器からのシステム情報の要求の後、少なくとも１つのオンデマンドＳＩＢが送信されるオンデマンド送信モードと、のうちの１つを使用してブロードキャストされ、
前記最小システム情報は、他のＳＩＢがオンデマンドでのみ提供されるかどうかを、前記ＭＩＢ以外の情報ブロックにおいて示し、他のＳＩＢがオンデマンドでのみ提供される場合において、前記最小システム情報は前記ユーザ機器がシステム情報要求を実行するために必要な情報を、前記ＭＩＢ以外の前記情報ブロックに含み、
ＲＡＣＨ手順を開始する少なくとも１つの前記ユーザ機器によって作成されたシステム情報に対する要求を受信するように構成される、
通信システム用の通信装置。
【請求項７】
通信システム内の通信装置によって実行される方法であって、
ＭＩＢ（Master Information Block）を含む情報ブロックのサブセットを使用して、最小システム情報を送信することと、
他の情報ブロックを使用して、他のシステム情報を送信することと、を備え、前記他のシステム情報は、
少なくとも１つの他のＳＩＢ（System Information Block）が周期的にブロードキャストされる周期的送信モードと、
少なくとも１つのユーザ機器からのシステム情報の要求の後、少なくとも１つのオンデマンドＳＩＢが送信されるオンデマンド送信モードと、のうちの１つを使用してブロードキャストされ、
前記最小システム情報は、他のＳＩＢがオンデマンドでのみ提供されるかどうかを、前記ＭＩＢ以外の情報ブロックにおいて示し、他のＳＩＢがオンデマンドでのみ提供される場合において、前記最小システム情報は前記ユーザ機器がシステム情報要求を実行するために必要な情報を、前記ＭＩＢ以外の前記情報ブロックに含み、
ＲＡＣＨ手順を開始する少なくとも１つの前記ユーザ機器によって作成されたシステム情報に対する要求を受信すること、を備える、
方法。
【請求項８】
通信システム内のユーザ機器によって実行される方法であって、
前記方法は、
ＭＩＢ（Master Information Block）を含む情報ブロックのサブセットを使用して、最小システム情報を受信することと、
他の情報ブロックを使用して、送信される他のシステム情報を受信することと、を備え、
前記他のシステム情報は、
少なくとも１つの他のＳＩＢ（System Information Block）が周期的にブロードキャストされる周期的送信モードと、
少なくとも１つのユーザ機器からのシステム情報の要求の後、少なくとも１つのオンデマンドＳＩＢが送信されるオンデマンド送信モードと、のうちの１つを使用してブロードキャストされ、
前記最小システム情報は、他のＳＩＢがオンデマンドでのみ提供されるかどうかを、前記ＭＩＢ以外の情報ブロックにおいて示し、他のＳＩＢがオンデマンドでのみ提供される場合において、前記最小システム情報は前記ユーザ機器がシステム情報要求を実行するために必要な情報を、前記ＭＩＢ以外の前記情報ブロックに含み、
前記方法は、前記オンデマンド送信モードが使用されるために、どのシステム情報が必要であるかを識別することを備え、 
前記方法は、ＲＡＣＨ手順を開始することによって、前記必要なシステム情報を取得するための要求を送信することを備える、
方法。
【発明の詳細な説明】
【技術分野】
【０００１】
本発明は、セルラまたは無線通信ネットワークにおけるシステム情報の提供に関し、特に、基地局からユーザ機器へのシステム情報の提供をオンデマンド（on-demand）または周期的に最適化することに限定されない。本発明は、第３世代パートナーシッププロジェクト（３ＧＰＰ：3rd Generation Partnership Project）によって定義された様々な規格に従って実施される無線通信ネットワークに特に関係があるが排他的ではない。例えば、本発明は、ロングタームエボリューション（ＬＴＥ：Long Term Evolution）ネットワーク、ＬＴＥアドバンスト（ＬＴＥ−Ａ：LTE Advanced）ネットワーク、ＬＴＥ／ＬＴＥ−Ａの関連する機能強化および開発、ならびにＬＴＥ／ＬＴＥアドバンスト、いわゆる「５Ｇ」または新無線（ＮＲ：New Radio）と呼ばれる通信技術のより最近の開発に関連する。
【背景技術】
【０００２】
「５Ｇ」および新無線（ＮＲ：New Radio）という用語は、マシンタイプコミュニケーション（ＭＴＣ：Machine Type Communications）、モノのインターネット（ＩｏＴ：Internet of Things）通信、車両通信および自律走行車（Ｖ２Ｖ／Ｖ２Ｘ）、高解像度ビデオストリーミング、スマートシティサービス、および／またはそれらのようなさまざまなアプリケーションおよびサービスをサポートすることが期待されている進化する通信技術を指す。したがって、５Ｇ／ＮＲ技術は、垂直市場へのネットワークアクセスを可能にし、サードパーティにネットワーキングサービスを提供し、新しいビジネスチャンスを生み出すためのネットワーク共有をサポートすることが期待される。
【０００３】
セルラ通信ネットワークは、一般に、通信ネットワークへのアクセスとともに、ＲＡＮによってカバーされる少なくとも１つの個別の地理的領域（セル）内のユーザ機器（ＵＥ：User Equipment）のアイテムを提供する１つまたは複数の無線アクセスネットワーク（ＲＡＮ：Radio Access Networks）を備え、ＵＥが互いに通信し、１つまたは複数の通信サービスを互いに受信（または提供）することを許す。ＲＡＮは通常、（例えば、音声／ビデオ通話、データサービスなどのための）個々のＵＥのための通信セッションの設定および維持のために、関連するセル内のＵＥとエアインタフェースを介して、およびコアネットワーク内の通信エンティティ（または「機能」）と（通常は有線インタフェースを介して）通信するように構成される基地局を備える。
【０００４】
５Ｇ／ＮＲ通信システムの基地局は、一般に新無線基地局（「ＮＲ−ＢＳ：New Radio Base Station」）または「ｇＮＢ」と呼ばれるが、それらは、より一般的にはＬＴＥ基地局に関連付けられているｅＮＢ（または５Ｇ／ＮＲ  ｅＮＢ）という用語を使用して呼ばれることがあることを理解されたい。用語「基地局」は、本明細書では一般にＮＲ−ＢＳ、ｇＮＢ、ｅＮＢ、またはＲＡＮの任意の同等の通信機器を指すために使用される。
【０００５】
５Ｇでは、特にＩｏＴでは、多くのユースケースで、効率的な省電力モードと低レイテンシー（low-latency）のシステムアクセス（ＵＥスリープ問題と呼ばれることもある）の間にトレードオフがあることが予測される。スリープ問題に対処するために、ＵＥがスリープしている間、ＵＥとネットワークの両方が何らかのコンテキスト情報を保持する新しい状態（「接続された非アクティブ」状態と呼ばれていた）に依存する５Ｇ  ＲＡＮの新しい状態モデル。
【０００６】
基地局のタスクの１つは、セルラ通信システムで通信し、特定のサービスにアクセスし、同じ無線アクセス技術（ＲＡＴ）のセルと異なる無線アクセス技術（ＲＡＴ）のセルとの間で可能な限りシームレスに移動するためにＵＥによって必要とされる重要な情報の提供である。この情報は「システム情報」として知られており、他の情報の中でも、ＵＥがセルにアクセスしてセル選択／再選択を実行することを可能にする情報（イントラ周波数、インター周波数、およびインターＲＡＴセル選択に関する情報を含む）を含む。
【０００７】
システム情報の要素は、通常、情報の種類に応じて、多数の専用システム情報ブロックに分類される。これらのブロックは、静的な、一般にセル固有の情報と、異なるＵＥ（またはＵＥのグループ）ごとに異なり得る情報を表すいくつかの追加のシステム情報ブロック（ＳＩＢ：System Information Blocks）とを含むマスター情報ブロック（ＭＩＢ：Master Information Block）を含む。ＭＩＢは、例えば、セルのダウンリンク帯域幅、物理ハイブリッドＡＲＱインジケータチャネル（ＰＨＩＣＨ：Physical Hybrid-ARQ Indicator Channel）構成、およびシステムフレーム番号（ＳＦＮ：System Frame Number）を含む。ＭＩＢは物理ブロードキャストチャネル（ＰＢＣＨ：Physical Broadcast Channel）でブロードキャストされ、ＳＩＢは無線リソース制御（ＲＲＣ：Radio Resource Control）メッセージを介して物理ダウンリンク共有チャネル（ＰＤＳＣＨ：Physical Downlink Shared Channel）で送信される。ＳＩＢ１は「ＳｙｓｔｅｍＩｎｆｏｒｍａｔｉｏｎＢｌｏｃｋＴｙｐｅ  １」メッセージによって運ばれる。ＳＩＢ２および他のＳＩＢは、「ＳｙｓｔｅｍＩｎｆｏｒｍａｔｉｏｎ（ＳＩ）」メッセージによって運ばれる。ＳＩメッセージには、１つまたは複数のＳＩＢを含めることができる。
【０００８】
提供されるいくつかのシステム情報はセル内のすべてのＵＥによって必要とされ得、比較的規則的に送信される必要があり得るが、他のシステム情報は所与の時間にセル内のすべてのＵＥによって必要とされ得ず、およびまたは、そのような規則的に送られる必要がない。したがって、そのようなシステム情報の区別された取り扱いを容易にするのを助けるために、システム情報は概念的に２つの異なるタイプ、すなわち最小システム情報と他のシステム情報（ＯＳＩ：other system information）に分けられる。
【０００９】
最小システム情報は、「最小」の組の情報要素（例えば、それらの要素は、セル選択、ＯＳＩを取得すること、またはセルにアクセスすることをサポートするのに必要な要素）を搬送する情報ブロックのサブセット（例えば、ＭＩＢ、ＳＩＢ１、ＳＩＢ２）を含む。ＯＳＩは、他のＳＩＢ内の全てのシステム情報を含む。歴史的には、（最小システム情報、例えばＳＩＢ１によって構成されているように）ＯＳＩ  ＳＩＢをブロードキャスト間のより長い期間でブロードキャストすることができるにもかかわらず、最小および他のシステム情報の両方が周期的にブロードキャストされた。
【００１０】
最小システム情報を参照すると、所与のＵＥがキャンプ（camp）することが許可されている各セルは、最小システム情報の少なくともいくつかをブロードキャストする基地局を有することになる。しかしながら、ＵＥがキャンプすることができず、その基地局が最小システム情報をブロードキャストしないより広いセルラネットワークシステム内のセルがあり得る。それにもかかわらず、ＵＥがキャンプオンするために別のセル／周波数を考慮するとき、ＵＥは、理想的には、他のセル／周波数層から最小システム情報を取得することを要求されるべきではない（これは、最近提案されたＳＦＮを介した受信、またはＵＥの全部または一部が以前に訪問した１つまたは複数のセルからの記憶システム情報を適用する可能性を排除するものではないけれども）。ＵＥがセルの完全な最小システム情報を決定することができない場合（例えば、そのセルを運営する基地局から、または１つまたは複数の前のセルから形成されて記憶されている有効なものから、それを受信することによって）、ＵＥは、効果的に、そのセルを禁止されたものとして扱います。これに関して、ＵＥが所与のセルにキャンプオンしてもしなくてもよいかどうかを比較的迅速に知ることがＵＥにとって望ましいことが理解される。
【００１１】
ＯＳＩを参照すると、ＯＳＩ配信のためのネットワーク主導型メカニズム、特にＯＳＩ  ＳＩＢがブロードキャストまたはユニキャスト（専用方式で提供される）を、１つまたは複数のＵＥからの要求時に「オンデマンド」で行えるようにすることが検討されるべきであることが提案されている。この場合、最小システム情報は、ＯＳＩがブロードキャストされるべきかまたはＵＥ固有の（ユニキャスト）シグナリングを通して配信されるべきかを決定するネットワーク（例えば基地局）との以前のように依然として周期的にブロードキャストされる。オンデマンドシステム情報については、トリガされると、ＯＳＩ  ＳＩＢは、設定可能な周期（例えば、ＬＴＥにおけるＳＩ期間と等価）で設定可能な周期性でブロードキャストされ得る。しかしながら、理想的には、アイドルまたは新しい状態にあるＵＥによるＯＳＩのいかなる要求も、状態移行なしに（たとえば、無線リソース制御（ＲＲＣ：Radio Resource Control）接続状態に入ること無しに）実行されるべきである。ＲＲＣ接続状態にあるＵＥについては、個別ＲＲＣシグナリングをＯＳＩの要求および配信に使用することができる。
【００１２】
システム情報がＵＥによって要求されるとき、ＵＥは、そのシステム情報がＵＥが現在位置しているセル内で利用可能であるかどうか、およびＵＥが要求されるＯＳＩ（たとえば、最小システム情報を確認することによる）の要求を送信する前にシステム情報がブロードキャストされるかどうかを判断できなければならない。所与のセル内でブロードキャストされる最小システム情報は、そのセル内で利用可能なＯＳＩに関する情報を提供するべきであり、ＯＳＩ  ＳＩＢに関するスケジューリング情報を含んでいる。ＯＳＩのためのスケジューリング情報は通常、ＳＩＢタイプ、有効性情報、周期性、およびＳＩウィンドウ情報を含む。ＵＥは、最小システム情報で提供されたＯＳＩのスケジューリング情報を調べて、特定のＳＩＢがブロードキャストされているか否かを検出する。ＬＴＥにおいて使用されるＳＩ送信ウィンドウはまた、５Ｇ／ＮＲ通信システムに関するシステム情報送信のためのベースラインであり得る。
【００１３】
ＵＥは、任意の適切な時点でＯＳＩを要求し得る。典型的には、例えば、セルが変化したとき（例えばハンドオーバ）、ＵＥが特定のサービス（例えばＭＢＭＳ、ＭＴＣ）に関心を持っているとき、及び／又はセル内のＵＥ接続の直前に、ＵＥはＯＳＩを要求する。要求は、例えば共通ランダムアクセスチャネル（ＲＡＣＨ：Random Access Channel）プリアンブルを使用して、任意の適切な形で行われることができる。
【００１４】
システム情報のオンデマンドブロードキャストの使用は、ＵＥの関与なしに基地局によってトリガされる（従来の）周期的なブロードキャストと比較して、リソース節約の利益を約束するが、なぜなら、関連性のあるセル内にＯＳＩを必要とするＵＥが存在しないとき、そうでなければＯＳＩブロードキャストに使用されるであろうリソースを節約することが可能になるからである。これは図１に示されており、これは周期的なブロードキャスト（図１（ａ））とオンデマンドブロードキャスト（図１（ｂ））との間の比較を示している。図１（ａ）の例では、基地局は、そのセル内にＯＳＩのいずれかを必要とするＵＥが存在するかしないかにかかわらず、周期的な機会ごとに（Ｔの周期性で）ＯＳＩのブロードキャストをトリガするように構成される。対照的に、図１（ｂ）の例では、基地局がＯＳＩをブロードキャストするための周期的な機会（図１（ａ）と同じＴの周期性を有する）を与えられる一方で、基地局は、前の期間Ｔにおいて、オンデマンドＯＳＩブロードキャストのために、セル内の１つまたは複数のＵＥからの要求に続くそのセル内で、ＯＳＩのブロードキャストのみをトリガする。したがって、所与の期間Ｔ内にどのＵＥもＯＳＩを要求していない場合、次のブロードキャスト機会は潜在的にキャンセルされる可能性があり（以前の期間に要求されたＯＳＩのさらなる送信に必要とされないと仮定）、これらのキャンセルされた機会のために予約されたリソースは節約される（図１（ｂ）の例の８つの機会のうち４つ）。
【００１５】
図１（ｂ）に示すように、所与の間隔Ｔの間にＯＳＩブロードキャストを要求したＵＥの数に関係なく、対応するブロードキャスト機会において、ＯＳＩのブロードキャストは１回だけでよく、ＯＳＩ要求をする全てのＵＥは、デコードすることができる。
【００１６】
また、図１（ｂ）は、ＯＳＩに対するＵＥ要求がある期間Ｔに続く、２つの連続したブロードキャスト機会のそれぞれにおけるＯＳＩ送信を示しているが、ＯＳＩ送信は、オンデマンド要求に続いて、１回または複数回（例えば複数回にわたって）起こり得る。
【発明の概要】
【発明が解決しようとする課題】
【００１７】
しかしながら、システム情報のオンデマンドブロードキャストの使用は、ＵＥの関与なしに基地局によってトリガされる通常の周期的なブロードキャストと比較して、リソース節約の利益を約束するが、本発明者らは、いくつかのシナリオでは、追加のシグナリングオーバーヘッドを正当化するのに十分なリソース節約の利益なしに、オンデマンドブロードキャストの使用が高い追加のシグナリングオーバーヘッドをもたらす可能性があることを認識した。
【００１８】
本発明は、上記の問題に対処するため、または少なくとも部分的に対処するための通信システム（communication system）ならびに関連する装置および方法を提供しようとするものである。
【００１９】
より詳細には、（周期性Ｔを有する）オンデマンドブロードキャストを使用した、ＯＳＩ送信機会の利用Ｕは、以下の式によって与えられる。
【数１】
0006841334.tif 000002
（１）
ここで、λは、周期性Ｔを有するＯＳＩのオンデマンドブロードキャストを要求する、いわゆるＵＥの（ＵＥ単位での毎秒の）到着率であり、Ｋは、所与のＯＳＩ要求に対するＯＳＩの送信数である（すなわち、ＯＳＩのワンショット送信に対してＫ＝１）。
【００２０】
（周期性Ｔを有する）オンデマンドブロードキャストを使用する、ＯＳＩの送信機会の節約Ｓは、未使用機会を表し、したがって、次式によって与えられる。
【数２】
0006841334.tif 000003
（２）
したがって、Ｕは、周期性Ｔの増大および／またはλの増大とともに増大する。すなわち、周期的ブロードキャスト（上限）の場合と比較して、オンデマンドブロードキャストを使用するＯＳＩの送信機会の節約は、周期性Ｔの増加および／またはλの増加と共に減少する。例えば、Ｔ＝８０ｍｓおよびλ＝５ＵＥ／ｓの場合、節約は、Ｓ＝０．６８（すなわち６８％）である。この節約は、Ｔ＝それぞれ１６０ｍｓ、３２０ｍｓ、および６４０ｍｓの場合、０．４５（４５％）、０．２（２０％）、０．０５（５％）に減少する。
【００２１】
上記の式（２）から次が得られ、したがって、オンデマンドブロードキャストのために、ネットワークが周期性Ｔに対して大きな値を選択するとき、（ＵＥの関与なしに基地局によってトリガされる通常の周期的ブロードキャストと比較して）、オンデマンドブロードキャストを要求するＵＥ（小さいλ）の小さい到着率があるとき、リソース節約の利点はない。同様に、オンデマンドブロードキャストのために、ネットワークが周期性Ｔに対して小さな値を選択するとき、（ＵＥの関与なしに基地局によってトリガされる通常の周期的ブロードキャストと比較して）、オンデマンドブロードキャストを要求するＵＥ（高いλ）の高い到着率があるとき、リソース節約の利点はない。
【００２２】
オンデマンドブロードキャストを要求する多数のＵＥ（すなわち、高いλ）は、アップリンクシグナリングオーバーヘッドを増大させる可能性がある（例えば、ランダムアクセスチャネル（ＲＡＣＨ）および予約ランダムアクセス（ＲＡ）プリアンブル上で）。大きな値のブロードキャスト周期Ｔは、ＵＥへのＯＳＩの配信を遅延させることができる。この遅延は、特定のＵＥのレイテンシー要件を満たすのに適していない可能性がある（例えば、ＵＥの遅延に敏感なサービス／アプリケーション／ユースケース）。
【００２３】
したがって、オンデマンドブロードキャストの使用は、追加のシグナリングオーバーヘッドを正当化するのに十分なリソース節約の利益なしに、高い追加のシグナリングオーバーヘッドをもたらす可能性がある。
【課題を解決するための手段】
【００２４】
本発明の一態様では、通信システム（telecommunication system）用の通信装置が提供され、前記通信装置は、
コントローラとトランシーバとを備え、
前記コントローラは、
システム情報の少なくとも一部が規則的で周期的な間隔で送信される周期的送信モードと、
セル内の少なくとも１つの通信機器からのシステム情報の要求に続いて、前記システム情報の少なくとも一部が送信されるオンデマンド送信モードと、を使用して、
通信装置によって動作する少なくとも１つの前記セル内において、前記システム情報の前記トランシーバによる送信を制御し、
前記オンデマンド送信モードが前記少なくとも１つの通信機器によって使用されている、または使用されることになる程度を表す利用レベルを決定し、
前記システム情報の少なくとも所与の部分を送信するために、前記決定された利用レベルに基づいて、前記オンデマンド送信モードを使用することと、前記オンデマンド送信モードを使用しないこと、との間で切り替える、
ように構成される。
【００２５】
本発明の別の態様では、通信システム用の通信機器は、
コントローラとトランシーバとを備え、
前記コントローラは、
通信装置によってセル内で送信されるシステム情報の前記トランシーバによる受信を制御し、前記システム情報は、
前記システム情報の少なくとも一部が規則的な周期的間隔で送信される周期的送信モードと、
前記セル内の少なくとも１つの通信機器からのシステム情報の要求に続いて、前記システム情報の少なくとも一部が送信されるオンデマンド送信モードと、
のうちの少なくとも１つを使用して送信され、
前記オンデマンド送信モードのどの使用がオンに切り替えられているかについて、どのシステム情報が必要であるかを識別し、
前記識別されたシステム情報に対する要求の前記トランシーバによる送信を制御し、
前記コントローラは、どのシステム情報が要求されていると識別されたかに基づいて前記要求のタイミングを制御するように構成される。
【００２６】
本発明の別の態様では、通信システム用の通信装置が提供され、前記通信装置は、
コントローラとトランシーバとを備え、
前記コントローラは、
システム情報の少なくとも一部が規則的で周期的な間隔で送信される周期的送信モードと、
セル内の少なくとも１つの通信機器からのシステム情報の要求に続いて、前記システム情報の少なくとも一部が送信されるオンデマンド送信モードと、を使用して、
通信装置によって動作する少なくとも１つの前記セル内において、前記システム情報の前記トランシーバによる送信を制御し、
前記オンデマンド送信モードを使用するとき、前記コントローラは、規則的な周期的間隔で発生するように構成された送信機会と一致するように要求されたシステム情報の送信のタイミングを制御するように構成され、
前記要求されたシステム情報は、そのシステム情報に対する少なくとも１つの要求に続く前記送信機会のうちの少なくとも１つにおいて送信され、
前記コントローラは、要求された利用レベルを目標にするために、前記送信機会間の前記周期的間隔に対して少なくとも１つの周期性を構成するように構成される。
【００２７】
本発明の別の態様では、通信システム用の通信装置によって実行される方法が提供され、前記方法は、
システム情報の少なくとも一部が規則的で周期的な間隔で送信される周期的送信モードと、
セル内の少なくとも１つの通信機器からのシステム情報の要求に続いて、前記システム情報の少なくとも一部が送信されるオンデマンド送信モードと、を使用して、
前記通信装置によって動作する少なくとも１つの前記セル内において、前記システム情報の送信を制御することと、
前記オンデマンド送信モードが前記少なくとも１つの通信機器によって使用されている、または使用されることになる程度を表す利用レベルを決定することと、
前記システム情報の少なくとも所与の部分を送信するために、前記決定された利用レベルに基づいて、前記オンデマンド送信モードを使用することと、前記オンデマンド送信モードを使用しないこと、との間で切り替えることと、
を備える。
【００２８】
本発明の別の態様では、通信システム内の通信機器によって実行される方法が提供され、
前記方法は、通信装置によってセル内で送信されるシステム情報の受信することを備え、
前記システム情報は、
前記システム情報の少なくとも一部が規則的な周期的間隔で送信される周期的送信モードと、
前記セル内の少なくとも１つの通信機器からのシステム情報の要求に続いて、前記システム情報の少なくとも一部が送信されるオンデマンド送信モードと、
のうちの少なくとも１つを使用して送信され、
前記方法は、前記オンデマンド送信モードのどの使用がオンに切り替えられているかについて、どのシステム情報が必要であるかを識別することを備え、 
前記方法は、前記識別されたシステム情報に対する要求を送信することを備え、
前記要求は、どのシステム情報が要求されていると識別されたかに基づいてタイミングがとられる。
【００２９】
本発明の別の態様では、通信システム用の通信装置によって実行される方法が提供され、前記方法は、
システム情報の少なくとも一部が規則的で周期的な間隔で送信される周期的送信モードと、
セル内の少なくとも１つの通信機器からのシステム情報の要求に続いて、前記システム情報の少なくとも一部が送信されるオンデマンド送信モードと、を使用して、
前記通信装置によって動作する少なくとも１つの前記セル内において、前記システム情報の送信を制御することと、
前記オンデマンド送信モードを使用するとき、要求されたシステム情報の送信を、規則的な周期的間隔で発生するように構成された送信機会と一致するようにタイミングを合わせることと、
前記システム情報に対する少なくとも１つの要求を受信した後に続く前記送信機会のうちの少なくとも１つにおいて、前記要求されたシステム情報を送信することと、
要求された利用レベルを目標にするために、前記送信機会間の前記周期的間隔に対して少なくとも１つの周期性を構成することと、
を備える。
【００３０】
本発明の態様は、プログラム可能なプロセッサをプログラムするように動作可能な命令を記憶したコンピュータ可読記憶媒体などのコンピュータプログラム製品にまで拡張され、上述の又は請求項に記載の態様及び可能性に記載の方法を実行し、及び／又は、請求項のいずれかに記載の装置を提供するように適切に適合されたコンピュータをプログラムする。
【００３１】
本明細書（この用語は特許請求の範囲を含む）に開示され、および／または、図面に示された各特徴は、他の開示、および／または、例示された特徴と独立して（または組み合わせて）本発明に組み込まれ得る。特に、限定するものではないが、特定の従属請求項から従属する請求項のいずれかの特徴は、その独立請求項に任意の組み合わせでまたは個別に導入することができる。
【００３２】
本明細書に記載された様々な手順を実行するための特定の物理的構造（例えばコントローラおよびトランシーバ回路）を有する特定のハードウェア装置が開示されたが、明細書に開示された方法の各ステップおよび／または請求項の一部を形成することは、そのステップを実行するための適切な手段のいずれかによって実行される。これによれば、本発明の各方法態様は、その方法態様の各ステップを実行するためのそれぞれの手段を含む対応する装置態様を有する。
【００３３】
本発明の例示的な実施形態は、添付の図面を参照して、ほんの一例として説明される。
【図面の簡単な説明】
【００３４】
【図１】図１は、（ａ）および（ｂ）を含み、それらは、システム情報の周期的送信とオンデマンド送信との間の比較を示すタイミング図である。
【図２】図２は、本発明が適用可能なタイプのセルラ通信システムを概略的に示す。
【図３】図３は、図１のセルラ通信システムにおいて、システム情報がどのように送信され得るかを示す簡略化したシーケンス図である。
【図４】図４は、図１のセルラ通信システムで使用するのに適したユーザ機器を実行するための物理的な装置の簡略化したブロック図である。
【図５】図５は、図１のセルラ通信システムに適した基地局を実装するための物理装置の簡略化したブロック図である。
【図６】図６は、図１のセルラ通信システムにおけるシステム情報の送信を管理するための方法の一部を示す簡略化したフローチャートである。
【図７】図７は、図１のセルラ通信システムにおいてシステム情報の送信を管理するための他の方法の一部を示す簡略化したフローチャートである。
【図８】図８は、図１のセルラ通信システムにおいてシステム情報の送信を管理するための他の方法の一部を示す簡略化したフローチャートである。
【図９】図９は、図１のセルラ通信システムにおいてシステム情報の送信を管理するための他の方法の一部を示す簡略化したフローチャートである。
【図１０】図１０は、オンデマンドの他のシステム情報送信のための簡略化した「ステートマシン」インスタンスを示す。
【図１１】図１１（ａ）および（ｂ）は、図１のセルラ通信システムにおいてＯＳＩのために使用されるべき送信のタイプを示すための方法を例示する簡略化したシーケンス図である。
【図１２】図１２は、図１のセルラ通信システムにおいてＯＳＩに使用されるべき送信のタイプを示すための別の方法を示す簡略化したシーケンス図である。
【図１３】図１３は、図１のセルラ通信システムにおいてユーザ機器がＯＳＩを要求することができる方法を示す簡略化した一組のタイミング図である。
【図１４】図１４は、図１のセルラ通信システムにおけるオンデマンドＯＳＩブロードキャスト機会の周期性を設定するための方法を示す簡略化したシーケンス図である。
【図１５】図１５は、図１のセルラ通信システムにおいてオンデマンドＯＳＩブロードキャスト機会のために構成された周期性を最適化するための方法を示す簡略化したタイミング図である。
【図１６】図１６は、図１のセルラ通信システムにおいてオンデマンドＯＳＩブロードキャスト要求間の間隔を決定するための方法を示す簡略化したシーケンス図である。
【発明を実施するための形態】
【００３５】
概要
図２は、携帯電話などのいくつかの項目のユーザ機器（ＵＥ：User Equipment ）３、および他の固定または移動通信機器（例えば、ＩｏＴ装置）が基地局５および適切な無線アクセス技術（ＲＡＴ：Radio Access Technology）を使用するコアネットワーク７を介して互いに通信できるセルラ通信システム１を概略的に示す。当業者には理解されるように、２つのモバイルデバイス３、１つのＩｏＴデバイス３、および１つの基地局５が説明の目的で図２に示されているが、システムは実施時には、通常、他の基地局およびＵＥを含む。
【００３６】
基地局５は、それを介してＵＥ３がセルラ通信システム１に接続することができる１つまたは複数の関連するセル９を動作させる。ＵＥ３は、セル９を動作させている基地局５と無線リソース制御（ＲＲＣ：Radio Resource Control）接続を確立することによってセル９に接続することができる。分かるように、基地局５はセル内でシステム情報２０を送信する。システム情報２０は、この例では、「最小」の情報要素セット（例えば、セル選択、ＯＳＩの取得、またはセルへのアクセスをサポートするのに必要な要素）を搬送する情報ブロック（例えば、ＭＩＢ、ＳＩＢ１、ＳＩＢ２）のサブセットを含む最小システム情報（Ｍｉｎｉｍｕｍ  ＳＩ：Minimum System Information）２０−１を含む。システム情報２０はまた、セルラ通信システムで通常利用可能な他のＳＩＢ内のすべてのシステム情報を含む他のシステム情報（ＯＳＩ：Other System Information）２０−２も含む。
【００３７】
基地局５は、例えばＳ１インタフェースを介してコアネットワーク７に接続され、例えばＸ２インタフェースを介して（直接に、又は、例えばＸ２ゲートウェイを介して）他の基地局（図示せず）に接続される。コアネットワーク７は通常、通信システム１内の通信をサポートするための論理ノード（または「機能」）を含む。典型的には、例えば、５Ｇ／ＮＲシステムのコアネットワーク７は、他の機能の中でも、制御プレーン機能、ユーザプレーン機能、およびモビリティ管理エンティティ（ＭＭＥ：Mobility Management Entity）の機能を提供するための他の機能、サービングゲートウェイ（Ｓ−ＧＷ：Serving GateWay）、パケットデータネットワークゲートウェイ（Ｐ−ＧＷ：Packet data network GateWay）などを含む。
【００３８】
図３は、図１のセルラ通信システムにおいて、システム情報２０がどのように送信され得るかを示す簡略化したシーケンス図である。図３に見られるように、最小システム情報（Ｍｉｎｉｍｕｍ  ＳＩ：Minimum System Information）２０−１は規則的で周期的に送信され、ＯＳＩ（Ｏｔｈｅｒ  ＳＩ）２０−２は周期的にブロードキャストされてもよく、オンデマンドでブロードキャストされてもよく、および／またはオンデマンドでユニキャストされてもよい。
【００３９】
有利には、以下により詳細に説明されるように、セルラ通信システム１の基地局５は、ＯＳＩ２０−２のオンデマンド送信に関連する追加のシグナリングオーバーヘッドと、基本的には周期的のＯＳＩ２０−２を時々不必要なのに送信することに関連するリソース使用の非効率と、間のトレードオフを最適化するために、ＯＳＩ２０−２の送信を管理する。具体的には、セルラ通信システム１の基地局５は、１つまたは複数の利用閾値に基づいて、ＯＳＩ２０−２のオンデマンド送信からＯＳＩ２０−２の周期的な送信への切り替え、およびその逆の切り替えを管理する。具体的には、基地局５は、オンデマンドＯＳＩ送信（周期的な送信に対する）に関連する周期的送信機会の利用（または潜在的利用度）と利用閾値のレベルの比較に基づいて、オン状態（ＯＮ  ＳＴＡＴＥ）とオフ状態（ＯＦＦ  ＳＴＡＴＥ）との間のオンデマンドＯＳＩ２０−２の切り替えを管理する。
【００４０】
有益には、以下により詳細に説明されるように、基地局５は、オン状態とオフ状態との間の移行（すなわち、オンデマンドとＯＳＩ２０−２の周期的送信との間）を、  さまざまなメカニズムのいずれかを使用して迅速かつ効率的にＵＥ３に通知することができる。
【００４１】
オンデマンドＯＳＩ２０−２の提供中に、各ＵＥ３は、特定の要求されたＯＳＩ  ＳＩＢ（またはＳＩメッセージ）または要求されたＯＳＩ  ＳＩＢのグループ（またはＳＩメッセージ）を有利に要求することができ、いくつかの効率的なメカニズムが説明され、それによって、ＵＥ３はそのような要求をすることができる。本明細書に記載された１つの特に有益な方法では、例えば、ＵＥ３は、その要求のタイミングを使用して特定のＳＩＢ／ＳＩメッセージまたはそのようなＳＩＢ／ＳＩメッセージのグループを効率的に要求することができる。
【００４２】
基地局５は、目標利用レベル閾値および／またはＵＥ要件によって課されるレイテンシー制約に基づいて、周期的ＯＳＩ送信機会について最適化された周期性を決定するための特に有益な方法を使用する。この特に有利な変形形態では、基地局５は、レイテンシー要求に基づいて異なるＵＥに対して異なる周期性を設定することができ、緩和されたレイテンシー要求ＵＥのためのオンデマンドＯＳＩは、送信機会と送信機会との間の比較的長い期間で送信され、厳しいレイテンシー要求ＵＥのためのオンデマンドＯＳＩは、送信機会と送信機会との間の比較的短い期間で送信される。
【００４３】
有利には、セルラ通信システム１はまた、ＵＥ３がオンデマンドＯＳＩ２０−２に対する要求の間に待つべき最小間隔を構成する。
【００４４】
当然のことながら、いくつかの有益な機能が上述されているが、たとえ有益な機能のサブセット（または１つ）のみが使用されていても、改善されたセルラ通信システムが依然として実現可能である。
【００４５】
ユーザ機器
図４は、図１に示すユーザ機器３（携帯電話など）の主要構成要素を示すブロック図である。図示のように、ＵＥ３は、１つまたは複数のアンテナ３３を介して基地局５（例えば、ｇＮＢ）と信号を送受信するように動作可能なトランシーバ回路３１を有する。必ずしも図４に示されていないが、ＵＥ３は、もちろん従来のＵＥ３のすべての通常の機能（ユーザインタフェース３５など）を有することができ、これはハードウェア、ソフトウェアおよびファームウェアのいずれか１つまたは任意の組み合わせによって適切に提供され得る。ＵＥ３は、ユーザ機器３の動作を制御するためのコントローラ３７を有する。
【００４６】
コントローラ３７はメモリ３９と関連付けられており、トランシーバ回路３１に結合されている。ソフトウェアは、例えば、メモリ３９に予めインストールされていてもよく、および／または、例えば通信ネットワークを介して、または取り外し可能なデータ記憶装置（ＲＭＤ：ReMovable data storage Device ）から、ダウンロードされてもよい。
【００４７】
コントローラ３７は、この例では、メモリ３９内に記憶されているプログラム命令またはソフトウェア命令によって、ＵＥ３の全体的な動作を制御するように構成される。示されるように、これらのソフトウェア命令は、とりわけ、オペレーティングシステム４１、通信制御モジュール４３、およびシステム情報管理モジュール４５を含む。
【００４８】
通信制御モジュール４３は、ＵＥ３と基地局５との間の通信を制御するように動作可能である。また、通信制御モジュール４３は、基地局５へ送信する上りデータと制御データ（ＯＳＩリクエストなど）の個別の流れと、基地局５によって送信される下りデータと制御データ（システム情報２０など）の受信とを制御する。通信制御モジュール４３は、例えば、アイドルモード手順と、セルの（再）選択、セルへのキャンプオン、ランダムアクセスチャネル（ＲＡＣＨ：Random Access Channel）手順などの接続モード手順におけるＵＥの一部の管理を担当する。
【００４９】
システム情報管理モジュール４５は、システム情報２０（最小システム情報２０−１および／またはＯＳＩ２０−２）のリスニング、受信、格納、および解釈の管理すること、オンデマンドシステムＯＳＩに対する要求を生成すること、および、そのような要求を送信するために通信制御モジュール４３をトリガすること、を担当する。システム情報管理モジュール４５はまた、ＯＳＩ要求のタイミング（例えば、それらの間の間隔、および／または該当する場合、要求の結果としてどのＯＳＩが受信されるかを制御する）を制御することを担当する。
【００５０】
基地局（ｇＮＢ）
図５は、図１に示すタイプの基地局５の主要構成要素を示すブロック図である。図示のように、基地局５は、１つまたは複数のアンテナ５３を介してＵＥ３と信号を送受信するように動作可能なトランシーバ回路５１を含み、トランシーバ回路５１は、コアネットワークインターフェース５５を介したコアネットワーク７の機能、および／または、基地局インタフェース５６を介して他の基地局から、信号を送受信するように動作可能である。コアネットワークインターフェース５５は、通常、コアネットワーク７と通信するためのＳ１（またはＳ１の様なもの）インタフェースと、他の基地局と通信するためのＸ２（またはＸ２の様なもの）インタフェースとを備える。コントローラ５７は、メモリ５９に記憶されているソフトウェアに従ってトランシーバ回路５１の動作を制御する。ソフトウェアは、とりわけ、オペレーティングシステム６１、通信制御モジュール６３、およびシステム情報管理モジュール６５を含む。ソフトウェアは、メモリ５９に事前にインストールされてもよく、および／または、例えば通信ネットワークを介して、または取り外し可能なデータ記憶装置（ＲＭＤ）からダウンロードされてもよい。
【００５１】
通信制御モジュール６３は、基地局５と、ＵＥ３と、基地局５に接続されている他のネットワークエンティティと、の間の通信を制御するように動作可能である。通信制御モジュール６３はまた、アップリンクおよびダウンリンクのユーザトラフィックおよび制御データ（例えば、システム情報２０）の別々のフローを制御し、例えば、ＵＥ３の動作を管理するための制御データを有する基地局５によってサービス提供されるＵＥ３によって受信され、ＵＥ３に送信される。通信制御モジュール６３は、例えば、測定制御／構成情報の通信、システム情報、ランダムアクセスチャネル（ＲＡＣＨ）手順における基地局の部分などの手順の制御を担当する。
【００５２】
システム情報管理モジュール６５は、オンデマンドシステムＯＳＩ２０−２に対する要求を受信して応答し、ＳＩメッセージを送信するように通信制御モジュール６３をトリガするための適切なシステム情報２０（最小システム情報２０−１および／またはＯＳＩ２０−２）を搬送するシステム情報（ＳＩ：System Information）メッセージの生成を管理することを担当する。システム情報管理モジュール６５はまた、最小システム情報２０−１およびＯＳＩ２０−２の周期的送信およびオンデマンド送信機会についての適切な周期性を決定することを担当する。
【００５３】
オンデマンドＯＳＩ送信から周期的なＯＳＩ送信への移行の管理
図６は、システム情報２０の送信を管理するための方法の一部を示す簡略化したフローチャートであり、これは、図１の基地局５によって実行されてもよく、ここで、オンデマンドＯＳＩ２０−２送信はオフ状態に切り替えられる前に最初はオン状態にある。図６は、特に、閾値ＴＨＯＦＦに基づいて基地局がオンデマンドＯＳＩ２０−２送信から周期的ＯＳＩ２０−２送信に切り替える有益な方法を示す。
【００５４】
図６のＳ６１０に見られるように、最小システム情報２０−１は、レガシー手順１−これは例示されたプロセスを通して発生する、に従って周期的にブロードキャストされる。
【００５５】
オンデマンドＯＳＩ２０−２送信（この例ではブロードキャスト）は、最初はオン状態であり、したがって、Ｓ６１２で、基地局５のセル９内のＵＥの要求で、ＯＳＩ２０−２送信がオンデマンドで発生する。これらのＯＳＩ２０−２送信は、基地局５において適切に構成された周期Ｔで発生する周期的ブロードキャスト機会の間に発生する。Ｓ６１４で基地局５は、周期的ブロードキャスト機会の利用レベルＵを測定し、それをＳ６１６で、オンデマンドＯＳＩ２０−２送信をオフにするために基地局５で構成された利用閾値ＴＨＯＦＦと比較する（ＴＨＯＦＦは、効果的にオンデマンドから定期的なＯＳＩ２０−２へ移行するための閾値である）。Ｓ６１６で、測定された利用レベルＵが利用閾値ＴＨＯＦＦ以上であると判明した場合、Ｓ６１８で、オンデマンドＯＳＩ２０−２送信が基地局５によってオフに切り替えられ、Ｓ６２０で、基地局５は、ＯＳＩ２０−２を提供するために周期的ブロードキャストアプローチを使用することに切り替える。逆に、Ｓ６１６において、測定された利用レベルＵが利用閾値ＴＨＯＦＦ未満であることが判明した場合、オンデマンドＯＳＩ２０−２送信は基地局５によってオンに保たれ、基地局５は、Ｓ６１２でＯＳＩ２０−２を提供するためのオンデマンドブロードキャストアプローチを使用し続ける。
【００５６】
基地局５は、ＯＳＩ２０−２の送信タイプの変更を（例えば、後で説明するように）ＵＥに通知し、ＵＥは、したがって、不必要なレッドＯＳＩ２０−２を送信することをやめることができる。オンデマンドＯＳＩ２０−２をスイッチオフするために適切に構成された値のＴＨＯＦＦを使用することは、それゆえ、周期的なブロードキャスト機会の利用レベルが高く、リソース節約の利益がそれゆえに比較的低いときに不要なシグナリングを減らすことができる。
【００５７】
周期的なＯＳＩ送信からオンデマンドＯＳＩ送信への移行の管理
図７は、図１の基地局５によって実行され得るシステム情報２０の送信を管理するための方法の一部を示す簡略化したフローチャートであり、オンデマンドＯＳＩ２０−２送信は、オン状態に切り替わる前に、最初はオフ状態にある。図７は、特に、閾値ＴＨＯＮに基づいて基地局が周期的ＯＳＩ２０−２送信から切り替える有益な方法を示す。
【００５８】
図７のＳ７１０に見られるように、最小システム情報２０−１は、レガシー手順に従って周期的にブロードキャストされる−これは例示されたプロセスを通して発生する。
【００５９】
オンデマンドＯＳＩ２０−２送信（この例ではブロードキャスト）は、最初はオフ状態であり、したがって、ＯＳＩ２０−２送信は、Ｓ７１１において、基地局５のセル９内のＵＥの要求ではなく、基地局５において適切に設定された周期で周期的に行われる。Ｓ７１２で、基地局５は、ＯＳＩ２０−２のオンデマンドブロードキャストを要求しているＵＥの到着率、
【数３】
0006841334.tif 000004
を推定する。この推定は、いくつかの方法で実行することができるが、この例では、ある期間にわたる特定のサービスについての接続要求の測定の結果に基づいている。
【００６０】
基地局５は、Ｓ７１４において、所与のサービス／アプリケーション／ユースケース用のオンデマンドＯＳＩ２０−２の配信時に要求されるレイテンシー以下である最大値を用いて、周期性の値Ｔ（オンデマンドＯＳＩ２０−２について）を設定する。Ｓ７１６で、到着率の推定値、
【数４】
0006841334.tif 000005
および設定された周期性の値Ｔを使用して算出した周期的送信機会の推定利用、
【数５】
0006841334.tif 000006
はオンデマンドで送信されるＯＳＩ２０−２、
【数６】
0006841334.tif 000007
であり、ここで、Ｋは、所与のＯＳＩ要求に対するＯＳＩ２０−２の送信数である（すなわち、ＯＳＩ２０−２のワンショット送信に対してＫ＝１）。Ｓ７１８において、周期的ブロードキャスト機会の推定利用レベル、
【数７】
0006841334.tif 000008
は、オンデマンドＯＳＩ２０−２送信をオンにするために基地局５で設定された利用閾値ＴＨＯＮと比較される（ＴＨＯＮは、周期的なＯＳＩ２０−２の提供からオンデマンドＯＳＩ２０−２の提供に移行するための効果的な閾値である）。Ｓ７１８で、推定利用レベル、
【数８】
0006841334.tif 000009
が利用閾値ＴＨＯＮ未満であることが判明した場合、Ｓ７２０で、オンデマンドＯＳＩ２０−２送信が基地局５によってオンに切り替えられ、Ｓ７２２で、基地局５は、ＯＳＩ２０−２を提供するためにオンデマンドブロードキャストアプローチを使用することに切り替える。逆に、Ｓ７１８で、推定利用レベル、
【数９】
0006841334.tif 000010
が利用閾値ＴＨＯＮ以上であることが判明した場合、オンデマンドＯＳＩ２０−２送信は基地局５によってオフに保たれ、基地局５は、Ｓ７１１で、ＯＳＩ２０−２を提供するために周期的ブロードキャストアプローチを使用することを継続する。
【００６１】
基地局５は、ＯＳＩ２０−２送信タイプ（例えば後述するように）の変更をＵＥに通知し、ＵＥは、したがって、ＯＳＩ２０−２に対する要求を送信し始めることができる。したがって、オンデマンドＯＳＩ２０−２をオンにするために適切に設定されたＴＨＯＮの値を使用することは、周期的なブロードキャスト機会利用レベルが比較的低いときに利用可能なリソース節約の利益が、ＯＳＩ要求を行うために必要とされる追加のシグナリングがそれを正当化するときに達成される。
【００６２】
図８は、図１の基地局５によって実行され得る、システム情報２０の送信を管理するための別の方法の一部を示す簡略化したフローチャートであり、オンデマンドＯＳＩ２０−２送信は、オン状態に切り替わる前に、最初はオフ状態である。図８は、特に、閾値ＴＨＯＮに基づいて基地局が周期的ＯＳＩ２０−２送信から切り替える別の有益な方法を示す。
【００６３】
図８のＳ８１０に見られるように、最小システム情報２０−１はレガシー手順に従って周期的にブロードキャストされる−これは例示されたプロセスを通して発生する。
【００６４】
オンデマンドＯＳＩ２０−２送信（この例ではブロードキャスト）は、最初はオフ状態であり、したがって、ＯＳＩ２０−２送信は、セル９内のＵＥの要求ではなく、Ｓ８１１で、基地局５において適切に設定されたで周期で周期的に行われる。
【００６５】
Ｓ８１２において、基地局５が所定の期間内に所定の数Ｎ個のＯＳＩのオンデマンド送信要求をＵＥから受信した場合、Ｓ８１４で、基地局５は、オンデマンドＯＳＩ２０−２送信をオンにする。次に、基地局５は、Ｓ８１６で、周期的ブロードキャスト機会の利用レベルＵを測定し、それをＳ８１８で、オンデマンドＯＳＩ２０−２送信をオンにするための基地局５で設定されている利用閾値ＴＨＯＮと比較する。Ｓ８１８において、測定された利用レベルＵが利用閾値ＴＨＯＮよりも小さいことが判明した場合、オンデマンドＯＳＩ２０−２送信は、基地局５によってそのオン状態に維持され、基地局５は、Ｓ８２０でのＯＳＩ２０−２の提供のためのオンデマンドＯＳＩ２０−２ブロードキャストアプローチを使用する。逆に、Ｓ８１８において、測定された利用レベルＵが利用閾値ＴＨＯＮ以上であることが判明した場合、Ｓ８２２において、オンデマンドＯＳＩ２０−２送信は、基地局５によってオフに切り替えられ、基地局５は、Ｓ８１１において、ＯＳＩ２０−２を提供するための周期的ブロードキャストアプローチを使用することに進む。
【００６６】
基地局５は、ＯＳＩ２０−２送信タイプ（例えば後述するように）の変更をＵＥに通知し、ＵＥは、したがって、ＯＳＩ２０−２に対する要求を送信し始めることができる。したがって、オンデマンドＯＳＩ２０−２をオンにするために適切に設定されたＴＨＯＮの値を使用することは、周期的なブロードキャスト機会利用レベルが比較的低いときに利用可能なリソース節約利益が、ＯＳＩ要求を正当化するために必要な追加のシグナリングが達成されるときに達成され得る。
【００６７】
図９は、図１の基地局５によって実行されるシステム情報２０の送信を管理するための別の方法の一部を示す簡略化したフローチャートであり、オンデマンドＯＳＩ２０−２送信は、オン状態に切り替わる前に、最初はオフ状態である。図９は、特に、閾値ＴＨＯＮに基づいて基地局が周期的ＯＳＩ２０−２送信から切り替える別の有益な方法を示す。図９の方法は、事実上、図７と図８の方法の組み合わせである。
【００６８】
図９のＳ９１０に見られるように、最小システム情報２０−１は、レガシー手順に従って周期的にブロードキャストされる−これは例示されたプロセスを通して発生する。
【００６９】
オンデマンドＯＳＩ２０−２送信（この例ではブロードキャスト）は、最初はオフ状態であり、したがって、ＯＳＩ２０−２送信は、基地局５のセル９内のＵＥの要求ではなく、Ｓ９１１において、基地局５で適切に設定された周期で周期的に行われる。基地局５は、Ｓ９１２で、ＯＳＩ２０−２のオンデマンドブロードキャストを要求するＵＥの到着率、
【数１０】
0006841334.tif 000011
を推定する。この推定は、いくつかの方法で実行することができるが、この例では、ある期間にわたる特定のサービスについての接続要求の測定の結果に基づいている。
【００７０】
基地局５は、Ｓ９１４において、所与のサービス／アプリケーション／ユースケース用のオンデマンドＯＳＩ２０−２の配信時に要求されるレイテンシー以下である最大値を用いて周期性の値Ｔ（オンデマンドＯＳＩ２０−２について）を設定する。到着率の推定値、
【数１１】
0006841334.tif 000012
と、設定された周期性の値Ｔと、を使用して、Ｓ９１６で算出した周期的送信機会の推定利用、
【数１２】
0006841334.tif 000013
は、オンデマンドで送信されるＯＳＩ２０−２、
【数１３】
0006841334.tif 000014
であり、ここで、Ｋは、所与のＯＳＩ要求に対するＯＳＩ２０−２の送信数である（すなわち、ＯＳＩ２０−２のワンショット送信に対してＫ＝１）。Ｓ９１８において、周期的ブロードキャスト機会の推定利用レベル、
【数１４】
0006841334.tif 000015
は、オンデマンドＯＳＩ２０−２送信をオンにするために基地局５で設定された利用閾値ＴＨＯＮと比較される。Ｓ９１８で、推定利用レベル、
【数１５】
0006841334.tif 000016
が利用閾値ＴＨＯＮ未満であることが判明した場合、Ｓ９２０で、オンデマンドＯＳＩ２０−２送信が基地局５によってオンに切り替えられる。逆に、Ｓ９１８で、推定利用レベル、
【数１６】
0006841334.tif 000017
が利用閾値ＴＨＯＮ以上であることが判明した場合、オンデマンドＯＳＩ２０−２送信は基地局５によってオフに保持され、基地局５は、Ｓ９１１で、ＯＳＩ２０−２を提供するために周期的ブロードキャストアプローチを使用することを継続する。
【００７１】
その後、Ｓ９２２で、基地局５は周期的ブロードキャスト機会の利用レベルＵを測定し、Ｓ９２４で、それを利用閾値ＴＨＯＮと比較する。Ｓ９２４において、測定された利用レベルＵが利用閾値ＴＨＯＮよりも小さいことが判明した場合、オンデマンドＯＳＩ２０−２送信は、基地局５によってそのオン状態に維持され、基地局５は、Ｓ９２６で、ＯＳＩ２０−２の提供のためのオンデマンドＯＳＩ２０−２ブロードキャストアプローチを使用する。逆に、Ｓ９２４で、測定された利用レベルＵが利用閾値ＴＨＯＮ以上であることが判明した場合、Ｓ９２８で、オンデマンドＯＳＩ２０−２送信が基地局５によってオフに切り替えられ、基地局５は、Ｓ９１１において、ＯＳＩ２０−２を提供するために周期的ブロードキャストアプローチを使用することに進む。
【００７２】
先に説明したように、基地局５は、ＯＳＩ２０−２送信タイプ（例えば後述するように）の変更をＵＥに通知し、したがってＵＥは、ＯＳＩ２０−２に対する要求を送信し始めることができる。したがって、オンデマンドＯＳＩ２０−２をオンにするために適切に設定されたＴＨＯＮの値を使用することは、周期的なブロードキャスト機会利用レベルが比較的低いときに利用可能なリソース節約利益が、ＯＳＩ要求を正当化するために必要な追加のシグナリングが達成されるときに達成され得る。
【００７３】
周期的なＯＳＩ送信とオンデマンドＯＳＩ送信の間の移行の管理（要約）
図６から図９を参照して説明された方法は、ＯＳＩ  ＳＩＢ／ＳＩごとのオンデマンドＯＳＩ２０−２提供のための簡略化したステートマシンインスタンスを示す図１０に要約される。
【００７４】
図１０に見られるように、ＯＳＩ２０−２のオンデマンド提供をオフにするために、基地局５はＵを測定し、その値をＴＨＯＦＦと比較し、ＵがＴＨＯＦＦよりも大きい場合、オンデマンドブロードキャストは、図６に示すように、オフにされる。
【００７５】
ＯＳＩ２０−２のオンデマンド提供をオンにするために、基地局５は、算出された利用値、
【数１７】
0006841334.tif 000018
（図７を参照して説明したように）、又は、測定された利用値Ｕ（図８を参照して説明したように）を使用することができ、それをＴＨОＮと比較する。算出された／測定された値がＴＨОＮよりも小さいと、オンデマンドブロードキャストは、スイッチングされ、維持されてオンに切り替えられる。ハイブリッドアプローチも（図９を参照して）説明され、算出された利用値、
【数１８】
0006841334.tif 000019
は、最初にオン状態に移行するために使用され、測定された利用値Ｕは、オン状態を維持すべきかどうかを決定するために使用される。
【００７６】
理論的には、ＴＨＯＮはＴＨＯＦＦに等しくてもよいが、一般に、ＴＨＯＮとＴＨＯＦＦとは異なり、オンデマンドがオン状態とオフ状態との間の望ましくない反復的な移行を回避／最小化するように選択される。
【００７７】
当然のことながら、これらの方法のいずれにおいても、基地局５／ネットワークは、ＯＳＩのオンデマンドブロードキャストを、全てのＯＳＩ  ＳＩＢ／ＳＩメッセージ、ＯＳＩ  ＳＩＢ／ＳＩの１つ以上のグループ、または、選択した個々のＯＳＩ  ＳＩＢ／ＳＩに対してオン／オフに切り替えるように構成され得る。
【００７８】
ＯＳＩ  ＳＩＢ（明示的）に使用される送信のタイプの表示
図１の基地局５のような基地局５が、ＯＳＩ  ＳＩＢに使用される送信のタイプをＵＥ３に通知することができるいくつかのメカニズムがある（例えば、オンデマンド送信（ブロードキャストまたはユニキャスト）がオフ／オンに切り替えられる）。
【００７９】
１つの選択肢では、例えば、基地局５は、すべてのＯＳＩ  ＳＩＢがオンデマンドで、または周期的な送信（または、オンデマンドブロードキャスト／ユニキャスト送信がオンになっているかオフになっているか）で可能かどうかを示すために、ＵＥ３に提供されるすべてのＯＳＩ  ＳＩＢについて単一ビットフラグまたはインジケータを使用した明示的ОＳＩ２０−２送信タイプ表示を提供し得る。例えば、０（または偽）の値を有する単一ビットＯＳＩフラグ／インジケータは、すべてのＯＳＩ  ＳＩＢがオンデマンドで利用可能である（またはオンデマンドブロードキャスト／ユニキャスト送信がオンにされる）ことを示すために使用され得る。同様に、１（または真）の値を有する単一ビットＯＳＩフラグ／インジケータは、すべてのＯＳＩ  ＳＩＢが周期的送信によって利用可能である（またはオンデマンドブロードキャスト／ユニキャスト送信がオフにされる）ことを示すために使用され得る。実際の値（０／偽および１／真）は、逆に使用されてもよいことが理解されるであろう。
【００８０】
別の例示的な選択肢では、各ＯＳＩ  ＳＩＢグループおよび／または各ＯＳＩ  ＳＩＢについて、そのＯＳＩ  ＳＩＢグループ／ＯＳＩ  ＳＩＢごとに、オンデマンドで、または周期的に送信可能かを、ＯＳＩ  ＳＩＢグループごとおよび／またはＯＳＩ  ＳＩＢごとに単一ビットＯＳＩフラグ／インジケータを提供することができる。（または、その特定のＯＳＩ  ＳＩＢグループ／  ＳＩＢに対してオンデマンドブロードキャスト／ユニキャスト送信がオンまたはオフになっているかどうか）。例えば、所与のＯＳＩ  ＳＩＢグループ／ＯＳＩ  ＳＩＢについて、０（または偽）の値を有する単一ビットＯＳＩフラグ／インジケータを使用して、そのＯＳＩ  ＳＩＢグループ／ＯＳＩ  ＳＩＢがオンデマンドで利用可能であることを示すことができる（またはオンデマンドのブロードキャスト／ユニキャスト送信がオンになっている場合）。同様に、１（または真）の値を有する、所与のＯＳＩ  ＳＩＢグループ／ＯＳＩ  ＳＩＢに対する単一ビットＯＳＩフラグ／インジケータは、そのＯＳＩ  ＳＩＢグループ／ＯＳＩ  ＳＩＢが周期的送信によって利用可能であることを示すために使用されてもよい。オンデマンドのブロードキャスト／ユニキャスト送信はオフになる。実際の値（０／偽および１／真）は、逆に使用されてもよいことが理解される。
【００８１】
別の例示的な変形形態では、オンデマンドで利用可能な（またはオンデマンドブロードキャスト／ユニキャスト送信がオンにされている）ＯＳＩ  ＳＩＢのグループを示すためにビットのバイナリストリングが使用され、および／または、定期的な送信によって使用可能な（またはオンデマンドのブロードキャスト／ユニキャスト送信がオフになっている）ＯＳＩ  ＳＩＢのグループを示すためにビットのバイナリストリングが使用される。このアプローチは、より複雑に見えるかもしれないが、それは指示を提供するために使用されるビット数を大幅に減らすことができるという利点を有する（例えば、４または５ビットは、それぞれ最大１６または３２までの異なる指示を提供できる）。
【００８２】
例えば、そうすることが効率的である場合にすべてのＯＳＩ  ＳＩＢに対して明示的な指示を提供するために、およびＯＳＩ  ＳＩＢグループごとに、および／または、必要に応じてＯＳＩ  ＳＩＢごとに提供するために、上記のメカニズムは相互に排他的ではなく、同じ基地局５において採用され得る。
【００８３】
当然のことながら、上記のメカニズムのうちの１つまたは複数に従って、ＯＳＩ  ＳＩＢに使用される送信のタイプをＵＥ３に通知することに加えて、ネットワークは通常、異なるＯＳＩ  ＳＩＢのオンデマンドブロードキャストのために設定された周期性をＵＥ３に通知する。
【００８４】
図１１は、ＯＳＩ  ＳＩＢに使用される送信のタイプを示すために（上述のように）１つまたは複数の明示的な指示を提供することができる２つのメカニズムを示す。
【００８５】
図１１（ａ）は、基地局５による、最小システム情報ＳＩＢ（例えば、ＭＩＢ、ＳＩＢ１またはＳＩＢ２内）において、基地局のセル９内のすべてのＵＥ３にブロードキャストするＯＳＩ  ＳＩＢの明示的な指示の提供を示すシーケンス図である。
【００８６】
図１１（ｂ）は、共通ダウンリンク制御情報（ＤＣＩ：Downlink Control Information）フォーマットを使用した明示的表示の基地局５による動的スケジューリングを示すシーケンス図である。この例では、明示的な指示は、ＤＣＩフォーマットに従ってダウンリンク制御チャネル（例えば、物理ダウンリンク制御チャネル（ＰＤＣＣＨ：Physical Downlink Control Channel）など）においてシグナリングされ得る。
【００８７】
図１１に示すメカニズムは相互に排他的ではなく、一方または両方のメカニズムを任意の特定の基地局に設けることができることを理解されよう。
【００８８】
ＯＳＩ  ＳＩＢ（暗黙的）に使用される送信のタイプを示す
上述の明示的な表示の代替として、またはそれに加えて、図１の基地局５などの基地局５は、ＯＳＩ  ＳＩＢに暗黙的に使用される送信のタイプをＵＥ３に通知するように構成されてもよい。
【００８９】
この例では、基地局５（または他のネットワークエンティティ）は、ＯＳＩ  ＳＩＢがオンデマンドで（オンデマンド送信はＳＩＢに対してオン）送信されるときに、オンデマンド方式でＯＳＩを要求するようにＵＥ３のアップリンクリソースを条件付きで設定するが、ＯＳＩ  ＳＩＢが周期的に送信される（オンデマンド送信はＳＩＢに対してオフ）ときには、設定されない。したがって、基地局５が、１つまたは複数の特定のＯＳＩ  ＳＩＢを要求するためにＵＥ３用に予約されたアップリンクリソースをシグナリングしない場合、これらのＯＳＩ  ＳＩＢは周期的にブロードキャストされる。一方、ネットワークが１つまたは複数のＯＳＩ  ＳＩＢを要求するためにＵＥ３のために予約されたアップリンクリソースをシグナリングするとき、これらのＯＳＩ  ＳＩＢはオンデマンドで送信される。
【００９０】
したがって、ＵＥ３は、１つまたは複数のＯＳＩ  ＳＩＢをオンデマンドで要求するために割り当てられたアップリンクリソースの受信または不在に基づいて、それらのＯＳＩ  ＳＩＢがオンデマンド（オンデマンド送信はＳＩＢに対してオン）で、または、周期的に（オンデマンド送信はオフ）送信されるかどうかを判断できる。
【００９１】
図１２は、そのような暗黙の指示が提供されるメカニズムを示すシーケンス図である。図１２のＳ１２１０に見られるように、基地局５は、オンデマンドで提供されるべきＯＳＩ  ＳＩＢを要求するときに、ＵＥ３による使用のために割り当てられるべきアップリンクリソースを識別する。Ｓ１２１２で、基地局５はリソースをＵＥにシグナリングする（少なくとも１つのそのような「オンデマンド」ＯＳＩ  ＳＩＢが利用可能であると仮定して）。Ｓ１２１４で、ＵＥ３は、必要とされる任意のＯＳＩ  ＳＩＢについて、そのＯＳＩ  ＳＩＢがオンデマンドで提供されるのか、または周期的に提供されるのかを判断する。必要とされる任意のＯＳＩ  ＳＩＢがオンデマンドで提供されるとＵＥ３が判断した場合、ＵＥ３は、それに応じてＳ１２１６でそのＯＳＩ  ＳＩＢを要求する。要求に応答して、基地局５は、Ｓ１２１８において、（必要に応じてブロードキャストまたはユニキャストによって）要求されたＯＳＩ  ＳＩＢを提供する。
【００９２】
Ｓ１２２０に示されるように、ＵＥ３は、（Ｓ１２２２に示されるように）基地局５によって、ＯＳＩ  ＳＩＢの周期的送信が周期的に提供されるのを待つ。そのような周期的な送信はいつでも起こり得、図１２に示されるシーケンスに従って起こることに限定されないことが理解されるであろう。
【００９３】
ＵＥ３がＯＳＩ  ＳＩＢをどのように要求することができるか、および基地局がそのような要求のためにアップリンクリソースをどのように割り当てることができるかについてのさらなる詳細は、以下のセクションで説明される。
【００９４】
他のシステム情報のオンデマンド提供の要求
図１の１つまたは複数のモバイルデバイス３など、ＵＥ３がＯＳＩ  ＳＩＢのオンデマンドの提供（ブロードキャストまたはユニキャスト）を要求できるメカニズムはいくつかある。
【００９５】
一選択肢では、例えば、ＵＥ３は、すべてのオンデマンドシステム情報２０に対して単一の要求を（たとえば単一の割り当てられたリソースを使用して）送信することができる。
【００９６】
この例では、最初のステップとして、ネットワークは通常、すべてのＯＳＩ  ＳＩＢを「オンデマンド」で要求するために１つまたは複数のアップリンク（ＵＬ：Uplink）リソースを割り当てる／配分する。
【００９７】
例えば、１つまたは複数の特定のランダムアクセスチャネル（ＲＡＣＨ）プリアンブルのサブセットが、初期アクセス（ＲＡＣＨ）手順中に、すべてのＯＳＩ  ＳＩＢの提供を要求するためにＵＥ３によって使用されるために基地局５によって設定され、ＵＥ３にシグナリングされ得る。ＵＥは、例えば、初期アクセス中に、ＲＡＣＨ手順のメッセージ３および／またはメッセージ５にオンデマンドシステム情報２０に対するその要求を追加して、（他のシステム情報２０−２に対して）すべてのＳＩＢを要求することができる。
【００９８】
基地局５は、代替的に又は追加的に、最小システム情報ＳＩＢにおいて、要求を行うために使用される許可フリーリソース（例えば特定の物理リソースブロック（ＰＲＢｓ：Physical Resource Blocks））をシグナリングすることができる。
【００９９】
したがって、ＵＥ３は、適切なアップリンクリソースを使用して（例えば、ＲＡＣＨ手順のメッセージ１内に設定されたプリアンブルを使用して、または最小システム情報２０−１によって設定された特定のＰＲＢを使用して）その要求メッセージを基地局５に送信し得る。
【０１００】
したがって、要求を受信すると、ネットワークは、ＯＳＩに対する要求を行う目的でＵＥによって使用されるアップリンクリソースに基づいて、すべてのＯＳＩ  ＳＩＢがＵＥ３に送信されるべきであると決定することができる。
【０１０１】
別の選択肢では、例えば、オンデマンドＯＳＩ  ＳＩＢを、それぞれが異なるそれぞれのＯＳＩ  ＳＩＢのサブセットを含むいくつかのグループにグループ化することができる。この例では、ＵＥ３は、オンデマンドＯＳＩ  ＳＩＢの各グループに対して別々のそれぞれの要求を（たとえば、関連付けられた割り当てられたリソースを使用して）送信することができる。
【０１０２】
例えば、初期アクセス（ＲＡＣＨ）手順中に、ＯＳＩ  ＳＩＢの各グループの提供を要求するためＵＥ３が使用するために、基地局５によって、１つまたは複数の特定のランダムアクセスチャネル（ＲＡＣＨ）プリアンブルのそれぞれのサブセットが構成され、ＵＥ３にシグナリングされ得る。ＵＥは、例えば、（他のシステム情報２０−２について）すべてのＳＩＢを要求するために、初期アクセス中に、ＲＡＣＨ手順のメッセージ３および／またはメッセージ５にオンデマンドシステム情報２０に対するその要求を追加することができる。
【０１０３】
基地局５は、代替的または追加的に、最小システム情報ＳＩＢにおいて、他のシステムＳＩＢの各グループに対する要求を行うために使用されるべきそれぞれの許可フリーリソース（たとえば特定の物理リソースブロック（ＰＲＢｓ））をシグナリングし得る。
【０１０４】
ＵＥ３がＳＩＢの特定のグループを必要とするとき、それは、したがって、適切なアップリンクリソースを使用してその要求メッセージを基地局５に送信することができる（例えば、ＲＡＣＨ手順のメッセージ１において、ＯＳＩ  ＳＩＢの所望のグループに対応する構成されたプリアンブルを使用すること、または最小システム情報２０−１によって構成されたＯＳＩ  ＳＩＢの所望のグループに対応する特定のＰＲＢを使用すること）。
【０１０５】
要求を受信すると、ネットワークは、ＯＳＩの要求を行う目的で、ＵＥによって使用されたアップリンクリソースに基づいて、どのグループのＯＳＩ  ＳＩＢをＵＥ３に送信するかを決定することができる。
【０１０６】
別の選択肢では、たとえば、ＵＥ３は、各オンデマンドＯＳＩ  ＳＩＢについて（たとえば、関連付けられた割り当てられたリソースを使用して）個々のそれぞれの要求を送信することができる。
【０１０７】
例えば、初期アクセス（ＲＡＣＨ）手順中に、各ＯＳＩ  ＳＩＢの提供を要求するためにＵＥ３が使用するために、基地局５によって、１つまたは複数の特定のランダムアクセスチャネル（ＲＡＣＨ）プリアンブルのそれぞれのサブセットが設定され、ＵＥ３にシグナリングされ得る。ＵＥは、例えば、初期アクセス中に、ＲＡＣＨ手順のメッセージ３および／またはメッセージ５にオンデマンドシステム情報２０に対するその要求を追加して、（ＯＳＩ２０−２について）すべてのシステム情報ブロックを要求することができる。
【０１０８】
基地局５は、代替的に又は追加的に、最小システム情報２０  ＳＩＢにおいて、他の各システムＳＩＢに対する要求を行うために使用されるべきそれぞれの許可フリーリソース（例えば特定の物理リソースブロック（ＰＲＢｓ））をシグナリングしてもよい。
【０１０９】
ＵＥ３が特定のＳＩＢを要求するとき、ＵＥ３は適切なアップリンクリソースを使用してその要求メッセージを基地局５に送信する（例えば、ＲＡＣＨ手順のメッセージ１において、所望のＯＳＩ  ＳＩＢに対応する設定されたプリアンブルを使用すること、または最小システム情報２０によって設定された所望のＯＳＩ  ＳＩＢに対応する特定のＰＲＢを使用すること）。
【０１１０】
要求を受信すると、ネットワークは、次いで、ＯＳＩ２０−２に対する要求を行う目的でＵＥによって使用されたアップリンクリソースに基づいて、どのシステム情報ＳＩＢをＵＥ３に送信すべきかを決定することができる。
【０１１１】
ＯＳＩ２０−２のオンデマンド提供（ブロードキャストまたはユニキャスト）を要求するためのＵＥ３にとって特に有益な選択肢が図１３に示されている。
【０１１２】
この例では、どのＯＳＩ  ＳＩＢを送信すべきかを決定する特定の要求に使用されるリソース（プリアンブル／周波数リソース）を有するのではなく、特定の要求を送信するためにＵＥ３によって使用されるタイミングが、どのＳＩＢが送信されるかを決定するために使用される。
【０１１３】
具体的には、いくつかのシステム情報ＳＩＢがそれぞれ異なるそれぞれの周期性（ｍ２Ｔｍｉｎ、ここでｍはゼロ以上の整数であり、Ｔｍｉｎは最も短い周期性を有するＳＩＢの周期性である）で送信される場合、ＵＥ３は、ＯＳＩ２０−２を送信するための次の利用可能な機会に必要なＳＩＢを受信することが保証されるように、ＯＳＩ２０−２に対するその要求の送信のタイミングをとるように構成される。ＵＥ３は、最長のページング機会を有する要求されたＳＩＢを送信するための次の機会の直前の期間（例えば長さＴｍｉｎ）に要求を送信することによってこれを達成する（例えば、最も長い周期性を有する要求されたＳＩＢを送信する機会の直前の期間Ｔｍｉｎ内）。
【０１１４】
基地局がＯＳＩ２０−２のオンデマンドブロードキャストに対するＵＥの要求を受信するとき、基地局は、現在の期間の終わりに送信機会が発生するすべてのＯＳＩ  ＳＩＢを送信する（Ｔ＝Ｔｍｉｎ）。したがって、送信されたＳＩＢは、最も長い周期性を有する要求されたＳＩＢ、および最も長い周期性を有する要求されたＳＩＢよりも周期性が小さい任意のＳＩＢを自然に含む。この送信は１回または複数回であり得ることが理解されよう。したがって、このようにして、ＵＥ３は、すべての必要なＳＩＢを受信するために要求のタイミングを選択することができる。
【０１１５】
例えば、図１３では、３つのＯＳＩ  ＳＩＢ（ＳＩＢＡ、ＳＩＢＢおよびＳＩＢＣ）が利用可能である（任意の適切な数があり得ることが理解されるであろうが）。これらのＳＩＢはそれぞれ、それらの送信機会に関連した異なるそれぞれの周期性を有する。ＳＩＢＡはＴＡ＝Ｔｍｉｎの最短周期を有し、ＳＩＢＢはＴＢ＝２Ｔｍｉｎの次の最短周期を有し、ＳＩＢＣはＴＣ＝４Ｔｍｉｎの最長周期を有する。
【０１１６】
図１３（ａ）の例に見られるように、ＵＥ３が３つの利用可能なＳＩＢ（ＳＩＢＡ、ＳＩＢＢ、ＳＩＢＣ）を必要とするとき、ＵＥ３はＳＩＢ（ＳＩＢＣ）の次の送信機会の直前の期間Ｔｍｉｎまで待機し、ＳＩＢ（ＳＩＢＣ）は、ＵＥ３がＯＳＩ２０−２に対する要求を送信する前の送信機会間において最長期間を有する（この送信機会は、次にｔ  ｍｏｄｕｌｏ  ＴＣ＝０となるときに発生することが分かるであろう）。基地局５は、その送信機会において、その送信機会を共有するすべてのＳＩＢ（すなわち、図示の例ではＳＩＢＡ、ＳＩＢＢおよびＳＩＢＣ）をブロードキャストする。
【０１１７】
図１３（ｂ）の例に見られるように、ＵＥ３がＳＩＢＣのみを必要とする場合、ＵＥ３は、ＯＳＩ２０−２に対する要求を送信する前に、ＳＩＢＣに対する次の送信機会の直前の期間Ｔｍｉｎまで待機する（この送信機会は、次にｔ  ｍｏｄｕｌｏ  ＴＣ＝０となるときに発生することが分かるであろう）。基地局５は、その送信機会において、その送信機会を共有するすべてのＳＩＢ（すなわち、図示の例ではＳＩＢＡ、ＳＩＢＢおよびＳＩＢＣ）を依然としてブロードキャストする。
【０１１８】
図１３（ｃ）の例に見られるように、ＵＥ３が送信機会間の最短期間（ＳＩＢＡ）を有するＳＩＢのみを要求するとき、ＵＥ３は、ＵＥ３がＯＳＩ２０−２に対する要求を送信する前に、そのＳＩＢ（次回はｔ  ｍｏｄｕｌｏ  ＴＡ＝０となる）に対する次の送信機会の直前の期間Ｔｍｉｎまで待機する。図示の例では、ｔ  ｍｏｄｕｌｏ  ＴＡ＝０が発生する次の時間は、ｔ  ｍｏｄｕｌｏ  ＴＣ＝２Ｔｍｉｎであるときであることが分かる。次いで、基地局５は、その送信機会においてその送信機会を共有するすべてのＳＩＢ（すなわちＳＩＢＡおよびＳＩＢＢ）をブロードキャストする。
【０１１９】
したがって、図１３（ａ）および（ｂ）の例に見られるように、ＵＥ３がＳＩＢＣを必要とするとき、それが他の利用可能なＯＳＩ  ＳＩＢ（ＳＩＢＡおよび／またはＳＩＢＢ）のうちの１つも必要とするかどうかにかかわらず、ＵＥ３は、ＵＥ３がＯＳＩ２０−２に対する要求を送信する前に、ＳＩＢＣに対する次の送信機会（ｔ  ｍｏｄｕｌｏ  ＴＣ＝０の場合）の直前の期間Ｔｍｉｎまで待機する。次に、基地局は、その送信機会を共有するすべてのＳＩＢ（すなわち、図示の例ではＳＩＢＡ、ＳＩＢＢおよびＳＩＢＣ）を送信する。
【０１２０】
さらなる例示的な例としてのみ、図１３の３つのＳＩＢ（ＳＩＢＡ、ＳＩＢＢおよびＳＩＢＣ）がそれぞれ８０ｍｓ（Ｔｍｉｎ）、１６０ｍｓ（２Ｔｍｉｎ）および３２０ｍｓ（４Ｔｍｉｎ）のオンデマンドブロードキャスト用の送信機会の間の期間が利用可能であるシナリオを考える。ＵＥ３が８０ｍｓのＳＩＢ（ＳＩＢＡ）しか必要としない場合、基地局５は任意の８０ｍｓの機会にそのＳＩＢをセル９内のＵＥ３にブロードキャストすることができる。したがって、ＵＥ３は、ＯＳＩ２０−２送信機会の間の８０ｍｓ期間のうちのいずれかにおいて送信されるようにその要求をタイミング調整することができる。しかしながら、ＵＥ３が３つ全ての利用可能なＯＳＩ  ＳＩＢを必要とする場合、ＵＥ３は、３２０ｍｓのＳＩＢ（ＳＩＢＣ）を送信するための次の機会の直前のＴｍｉｎ期間にＯＳＩ２０−２に対する要求を送信することを選択する。すなわち、タイムインスタンスｔ＝２４０ｍｓとタイムインスタンスｔ＝３２０ｍｓ（最後の３２０ｍｓの機会に対して）との間のどれか。同様に、ＵＥ３がＳＩＢＡおよびＳＩＢＣのみを必要とする場合、それでもＳＩＢＢの不要な送信結果として得られるであろうが、ＵＥ３は、３２０ｍｓのＳＩＢ（ＳＩＢＣ）を送信するための次の機会の直前のＴｍｉｎ期間にＯＳＩ２０−２に対する要求を送信することを依然として選択する。
【０１２１】
このアプローチは、時には必要とされないＳＩＢが不必要に送信されることを意味するが、アップリンク要求のためのリソース管理を大幅に単純化するという利点を有する（１タイプの要求のみを要求するため）。この例では、所与のＵＥ３に対するレイテンシー要件は、それが最も長い期間で必要とするＳＩＢによって決定されるという仮定があることが分かる。例えば、ＵＥ３がＳＩＢＡとＳＩＢＣの両方を必要とする上述の例示的なシナリオでは、ＵＥ３は両方のＳＩＢを受信するために３２０ｍｓ待つ必要がある。
【０１２２】
オンデマンド周期性の最適化
図１４は、オンデマンドＯＳＩブロードキャスト機会用に構成された周期性を最適化するための有益な方法を示す簡略化したシーケンス図である。
【０１２３】
具体的には、この例では、基地局５は、オンデマンドブロードキャストのＵＥが要求する（到着）率（すなわちλ）と、ＯＳＩ送信機会に対する利用閾値であって、基地局５によって０と１の間の値を有するように設定されるＴＨＵと、に基づいて、ＯＳＩのオンデマンドブロードキャストのための周期性の最適値Ｔ＝ＴＯＰを決定する。
【０１２４】
目標利用ＵがＴＨＵよりも小さい（または等しい）ように制約される場合、Ｕ＝１−ｅ−λＫＴ、かつ、Ｕ＜ＴＨＵであるので、ｅ−λＫＴ＞１−ＴＨＵとなる。したがって、Ｔ＝ＴＯＰと設定すると、周期性の最適値ＴＯＰは、以下の不等式に従って設定されなければならないことは明らかである。
【数１９】
0006841334.tif 000020
ここで、Ｋは、所与のＯＳＩ要求に対するＯＳＩ２０−２の送信数である（すなわち、ＯＳＩ２０−２のワンショット送信に対してＫ＝１）。
【０１２５】
基地局５は、所与のサービス／アプリケーション／ユースケースに対するＯＳＩ（オンデマンド）の配信時に要求されるレイテンシー以下である最大値を用いて、周期性の値ＴＯＰを設定する（例えば、マシンタイプ通信（ＭＴＣ：Machine Type Communication）、モバイルブロードバンド（ＭＢＢ：Mobile Broadband）、超高信頼性低遅延通信（ＵＲＬＬＣ：Ultra-Reliable Low latency Communications）など）。
【０１２６】
設定された周期性は、任意の適切な方法でＵＥ３に通知されることができる。この例では、設定された周期性は、最小システム情報で送信されるが、専用（例えばＲＲＣ）シグナリングなどを使用して通知されてもよい。
【０１２７】
当然のことながら、基地局５は、ＳＩＢ／ＳＩメッセージグループごとに、および／またはＳＩＢ／ＳＩメッセージごとに、すべてのＯＳＩ  ＳＩＢ／ＳＩメッセージに対して最適な周期性を設定することができる。
【０１２８】
基地局５は、異なるＵＥ３またはＵＥ３のグループに対して異なる最適な周期性を設定してもよいことがさらに理解されるであろう。例として、図１５は、レイテンシー要件に基づいて基地局５が異なるＵＥ３に対してどのように異なる周期値を設定することができるかの一例を示す簡略図である。
【０１２９】
図１５では、長い周期性ＴＬは、ＯＳＩ２０−２を受信する際の緩和されたレイテンシー要件を用いて、ＵＥへのオンデマンドブロードキャスト（ＵＥＬと呼ばれる）のために設定される。短い周期性ＴＳは、ＯＳＩ２０−２を受信する際のレイテンシー要件がはるかに厳しい状態で、ＵＥへのオンデマンドブロードキャスト（ＵＥＨと呼ばれる）のために設定される。
【０１３０】
オンデマンドＯＳＩブロードキャストのためのＵＥ要求間隔の最適化
図１６は、オンデマンドＯＳＩブロードキャスト要求間の間隔を決定するための有益な方法を説明する簡略化したシーケンス図である。
【０１３１】
具体的には、この例では、基地局５は、オンデマンドブロードキャストの周期性の値（この例ではＴＢと呼ぶ）を設定する（例えば、これは、図１４を参照して説明した方法を使用することができ、図１４のＴＯＰは、この例ではＴＢと同等である）。この例では、ＴＢの最小値は、可能な最小のＳＩ周期性である。（例えば、ＬＴＥ  ＳＩ周期性が８０、１６０、３２０、６４０、１２８０、２５６０および５１２０ｍｓとなり得る現在のＬＴＥシステムでは、ＴＢ＝８０ｍｓ）。ＴＢは、システム内の周期的システム（または、オンデマンドブロードキャストの機会）の情報提供のために現在の周期性が設定され得る
【０１３２】
オンデマンドブロードキャストの要求の間に、ＵＥ３が待たなければならない時間（ＯＳＩブロードキャストをリスニングする）を表す、いわゆる「待機（ｗａｉｔ）」期間Ｔｗの値も、各ＵＥ３に対して設定される。この例では、ＴＷはＴＷ＝Ｎｄｅｃｏｄｅに設定される。ここで、Ｎｄｅｃｏｄｅは、ＵＥ３が連続するオンデマンドブロードキャスト機会においてシステム情報ブロードキャストの復号を試みる回数である。例えば、ＴＢ＝８０ｍｓおよびＮｄｅｃｏｄｅ＝６４（すなわち、Ｎｄｅｃｏｄｅ＝５１２０ｍｓ／８０ｍｓ）の場合、ＴＷの最大値＝５１２０ｍｓである。
【０１３３】
ＵＥ３は、Ｎｄｅｃｏｄｅの１つの値（例えば最大値）で開始し、それを徐々に減少させる（それによってＴＷの値を減少させる）ことができる。
【０１３４】
ＵＥ３は、（例えば、基地局５から受信した最小システム情報または他のシグナリングに基づいて）オンデマンドブロードキャスト機能がネットワークによって有効にされているかどうかをチェックする。ＵＥ３は、基地局５によって設定されたＴＢの値を読み、適切なＮｄｅｃｏｄｅ、したがってＴＷの値を決定して、１つまたは複数のＳＩＢ／ＳＩメッセージのオンデマンドブロードキャストのための新たな要求を出す前に、ＵＥ３がどれだけの時間待機する必要があるかを決定する。
【０１３５】
待機期間ＴＷの使用は、ＵＥ要求の数を有利に減らし、それによってＵＥ電力消費を減らす可能性があることが分かる。さらに、それは（要求のために）予約されなければならないアップリンクリソースの量およびアップリンク輻輳を減らす可能性を有する。
【０１３６】
修正と代替
多数の詳細な実施形態が上述されている。当業者には理解されるように、そこに具現化された本発明から依然として利益を受けながら、上記の例示的な実施形態に対して多くの修正および代替を行うことができる。説明のために、これらの代替形態および修正形態のいくつかのみをこれから説明する。
【０１３７】
上記の例示的な実施形態では、ユーザ機器３および基地局５を実装するためのいくつかのソフトウェアモジュールが説明された。当業者には理解されるように、そのようなソフトウェアモジュールは、コンパイルされた形、または、コンパイルされていない形で提供され、コンピュータネットワーク上の記録として、または、記録媒体上の対応するハードウェアに供給され得る。さらに、このソフトウェアの一部、または、全部によって実行される機能は、１つまたは複数の専用ハードウェア回路を使用して実行され得る。しかしながら、ソフトウェアモジュールの使用は、その機能性を更新するために対応するハードウェアの更新を容易にするので好ましい。同様に、上記の例示的な実施形態はトランシーバ回路を使用したが、トランシーバ回路の機能の少なくともいくつかはソフトウェアによって実行することができる。
【０１３８】
ユーザ機器３および基地局５の機能は通常、必要な機能を提供するために適切なソフトウェア命令を使用してプログラムされた１つまたは複数のハードウェアコンピュータプロセッサを有する１つまたは複数のコンピュータ処理装置を使用して実施される。当然のことながら、この機能の全部または一部は、例えば特定用途向け集積回路（ＡＳＩＣ：Application Specific Integrated Circuit ）などの１つまたは複数の専用集積回路を使用して、専用回路としてハードウェアに実装することができる。
【０１３９】
ＵＥ３および基地局５の説明において言及されたコントローラは、例えば、アナログ、または、デジタルコントローラなどの任意の適切なコントローラを含み得ることが理解されよう。各コントローラは、例えば、１つ以上のハードウェア実施コンピュータプロセッサ、マイクロプロセッサ、中央処理装置（ＣＰＵ：Central Processing Units）、算術論理装置（ＡＬＵＳ：Arithmetic Logic Units）、入／出力（ＩＯ）回路、内部メモリ／キャッシュ（プログラムおよび／またはデータ）、処理レジスタ、通信バス（例えば、制御、データおよび／またはアドレスバス）、ダイレクトメモリアクセス（ＤＭＡ：Direct Memory Access）機能、ハードウェアまたはソフトウェアによって実装されたカウンタ、ポインタおよび／またはタイマ、および／またはそのようなもの、を含む（ただしこれらに限定されない）任意の適切な形態の処理回路を備えることができる。
【０１４０】
基地局５はｇＮＢに関して説明されているが、ｇＮＢの機能が１つまたは複数の分散ユニット（ＤＵＳ：Distributed Units）と中央ユニット（ＣＵ：Central Unit）との間で分割され得る基地局を含む任意の適切な基地局でもよく、ＣＵは典型的にはより高いレベルの機能を実行し、次世代コアとの通信を行い、ＤＵはより低いレベルの機能を実行し、周辺の（すなわち、ｇＮＢによって運営されるセル内の）ユーザ機器（ＵＥ：User Equipment）と無線インタフェースを介して通信する。
【０１４１】
基地局５は、例えば、例えば、周期性の設定、オンデマンドと周期的ＯＳＩ提供との間の移行のトリガ、データ（例えば、周期性、送信タイプなど）およびまたはそのようなものに関連するシステム情報の基地局への通知を含むシステム情報の提供に関連する数多くの機能を実行するものとして上で説明された。基地局５によって実行されると記載された機能に関連するシステム情報のいずれも、通信ネットワーク内の別のエンティティによって実行され、（適切な場合には）ＵＥ／基地局に関連データを知らせるために、ＵＥ／基地局へ適切にシグナリングすることが使用される。例えば、周期性は他のエンティティによって計算され、基地局５（これはＵＥ３に周期性を順番に知らせることができる）および／またはＵＥ３に通知することができる。同様に、オンデマンドと周期的ＯＳＩとの間の移行は、他のエンティティによって管理され、基地局および／またはＵＥに通知されてもよい。これらの例では、他のエンティティは、コントローラ、トランシーバ、メモリなどを備えた図５に示す基地局５と同様であり得る。
【０１４２】
したがって、要約すると、通信装置は、コントローラとトランシーバとを備え、前記コントローラは、システム情報の少なくとも一部が規則的で周期的な間隔で送信される周期的送信モードと、セル内の少なくとも１つの通信機器からのシステム情報の要求に続いて、前記システム情報の少なくとも一部が送信されるオンデマンド送信モードと、を使用して、前記通信装置によって動作する少なくとも１つの前記セル内において、前記システム情報の前記トランシーバによる送信を制御し、前記オンデマンド送信モードが前記少なくとも１つの通信機器によって使用されている、または使用されることになる程度を表す利用レベルを決定し、前記システム情報の少なくとも所与の部分を送信するために、前記決定された利用レベルに基づいて、前記オンデマンド送信モードを使用することと、前記オンデマンド送信モードを使用しないこと、との間で切り替える、ように構成される、と説明される。
【０１４３】
前記コントローラは、前記決定された利用レベルと、少なくとも１つの利用閾値と、の比較に基づいて、いつ前記切り替えを実行するかを決定するように構成されてもよい。
【０１４４】
前記コントローラは、（ａ）前記決定された利用レベルと第１の閾値（例えばＴＨＯＦＦ）との比較に基づいて、何時、前記オンデマンド送信モードを使用することから前記オンデマンド送信モードを使用しないことに切り替えるかと、（ｂ）前記決定された利用レベルと第２の閾値（例えばＴＨＯＮ）との比較に基づいて、何時、前記オンデマンド送信モードを使用しないことから前記オンデマンド送信モードを使用することに切り替えるかと、を決定するように構成されてもよい。
【０１４５】
前記コントローラは、通信機器が前記システム情報の前記少なくとも所与の部分に対する要求を行っている、またはこれから行うであろう率（たとえば到着率）に基づいて、前記利用レベルを決定するように構成されてもよい。
【０１４６】
前記コントローラは、測定されて決定された利用レベルに基づいて、何時、前記オンデマンド送信モードを使用することから前記オンデマンド送信モードを使用しないことに切り替えるかを決定するように構成されてもよい。
【０１４７】
前記コントローラは、測定で決定された利用レベル、および、推定で決定された利用レベルの少なくとも１つに基づいて、前記オンデマンド送信モードを使用しないことから前記オンデマンド送信モードを使用することに切り替えるかを決定するように構成されてもよい。
【０１４８】
前記コントローラはさらに、前記システム情報の前記少なくとも所与の部分を送信するための前記オンデマンド送信モードの使用がオンまたはオフであるかどうかを、前記少なくとも１つの通信機器に通知するように、前記トランシーバを制御するように構成されてもよい。
【０１４９】
前記コントローラは、前記システム情報の他の部分と、ダウンリンク制御情報（例えば、ダウンリンク制御情報（ＤＣＩ：Downlink Control Information）フォーマットを使用する）と、の少なくとも１つを使用して、前記オンデマンド送信モードの使用が前記システム情報の前記所与の部分についてオンまたはオフのいずれであるかを、前記少なくとも１つの通信機器に通知するように、前記トランシーバを制御するように構成されてもよい。
【０１５０】
前記コントローラは、前記システム情報の前記少なくとも所与の部分を要求するために割り当てられたリソースを識別する情報を前記少なくとも１つの通信機器に送信することによって、前記システム情報の前記少なくとも所与の部分について、前記オンデマンド送信モードの使用がオンになっていることを前記少なくとも１つの通信機器に通知し、前記システム情報の前記少なくとも所与の部分を要求するために割り当てられたリソースを識別する情報を前記少なくとも１つの通信機器に送信しないことによって、前記システム情報の前記少なくとも所与の部分について、前記オンデマンド送信モードの使用がオフになっていることを前記少なくとも１つの通信機器に通知する、ようにトランシーバを制御するように構成されてもよい。
【０１５１】
前記コントローラは、オンデマンドで送信されるシステム情報の第１の部分に対する要求を送信するために前記少なくとも１つの通信機器によって使用されるための第１のリソースと、オンデマンドで送信されるシステム情報の第２の部分に対する要求を送信するために前記少なくとも１つの通信機器によって使用されるための第２のリソースと、をさらに割り当てるように構成されてもよい。
【０１５２】
前記コントローラは、少なくとも１つの通信機器からオンデマンドで送信されるシステム情報に対する少なくとも１つの要求を受信するように前記トランシーバを制御し、前記要求を行う前記少なくとも１つの通信機器によって使用されるリソースに基づく前記少なくとも１つの要求に応答して、前記システム情報のどの部分を送信すべきかを決定する、ようにさらに構成されてもよい。
【０１５３】
前記コントローラは、少なくとも１つの通信機器からオンデマンドで送信されるシステム情報に対する少なくとも１つの要求を受信するように前記トランシーバを制御し、前記要求を行う前記少なくとも１つの通信機器による前記要求のタイミングに基づく前記少なくとも１つの要求に応答して、前記システム情報のどの部分を送信すべきかを決定する、ようにさらに構成されてもよい。
【０１５４】
前記オンデマンド送信モードを使用するとき、前記コントローラは、規則的な周期的間隔で発生するように構成された送信機会と一致するように、要求されたシステム情報の送信のタイミングを制御するように構成され、前記要求されたシステム情報は、前記システム情報に対する少なくとも１つの要求に続く前記送信機会のうちの少なくとも１つにおいて送信されてもよい。
【０１５５】
前記コントローラは、（例えば、最適利用閾値によって表されるように）要求される利用レベルを目標にするために、前記送信機会間の前記規則的な周期的間隔に対して少なくとも１つの周期性を構成するように構成されてもよい。
【０１５６】
コントローラは、第１のレイテンシー要件を有する少なくとも１つの通信機器へのシステム情報の送信のために、前記送信機会間の前記規則的な周期的間隔に対して第１の周期性を構成し、第２のレイテンシー要件を有する少なくとも１つの通信機器へのシステム情報の送信のために、前記送信機会間の前記規則的な周期的間隔に対して（前記第１の周期性とは異なる）第２の周期性を構成する、ように構成されてもよい。
【０１５７】
したがって、さらなる要約では、通信装置は、コントローラとトランシーバとを備え、前記コントローラは、通信装置によってセル内で送信されるシステム情報の前記トランシーバによる受信を制御し、前記システム情報は、前記システム情報の少なくとも一部が規則的な周期的間隔で送信される周期的送信モードと、前記セル内の少なくとも１つの通信機器からのシステム情報の要求に続いて、前記システム情報の少なくとも一部が送信されるオンデマンド送信モードと、のうちの少なくとも１つを使用して送信され、前記オンデマンド送信モードのどの使用がオンに切り替えられているかについて、どのシステム情報が必要であるかを識別し、前記識別されたシステム情報に対する要求の前記トランシーバによる送信を制御し、前記コントローラは、どのシステム情報が要求されていると識別されたかに基づいて前記要求のタイミングを制御するように構成される、と説明される。
【０１５８】
前記コントローラは、前記識別されたシステム情報に対する要求を繰り返す前に、待機する間隔を決定するように構成されてもよい。
【０１５９】
前記コントローラは、オンデマンドでシステム情報を送信するための送信機会の周期性を識別する情報を受信するように前記トランシーバを制御するように構成されてもよく、前記間隔は前記周期性に依存する。
【０１６０】
前記コントローラは、要求が送信されたシステム情報を復号するために何回連続して送信する機会を試みるべきかを識別するように構成されてもよく、前記間隔は、前記周期性に依存する。
【０１６１】
前記コントローラは、前記システム情報の所与の部分を要求するためにリソースが割り当てられているかどうかに基づいて、暗黙的に前記システム情報の前記所与の部分について前記オンデマンド送信モードの使用がスイッチオンされるかどうかを決定するように構成されてもよい。
【０１６２】
他の様々な修正は、当業者には明らかであり、ここではこれ以上の詳細な説明はしない。
【０１６３】
この出願は、２０１７年１月６日に出願された英国特許出願第１７００２６７．６号に基づく優先権の利益を主張し、その開示は参照によりその全体が本明細書に組み込まれる。
【図１】
0006841334.tif 000021
【図２】
0006841334.tif 000022
【図３】
0006841334.tif 000023
【図４】
0006841334.tif 000024
【図５】
0006841334.tif 000025
【図６】
0006841334.tif 000026
【図７】
0006841334.tif 000027
【図８】
0006841334.tif 000028
【図９】
0006841334.tif 000029
【図１０】
0006841334.tif 000030
【図１１】
0006841334.tif 000031
【図１２】
0006841334.tif 000032
【図１３】
0006841334.tif 000033
【図１４】
0006841334.tif 000034
【図１５】
0006841334.tif 000035
【図１６】
0006841334.tif 000036